(57)【要約】【課題】プロテクタ構造の組付け性及び組付け精度を向上させること。【解決手段】プロテクタ構造１０において、プロテクタ本体１と蓋部材２とが、一端側Ｐで係合され、他端側Ｑで締結されている。また、プロテクタ本体１の係合部には、複数の開口部１ａ、１ｂが略並列に形成されている。さらに、蓋部材２の係合部は、開口部１ａに係合する係合片２ａと、開口部１ｂに挿入され、他端側Ｑの締結時に、挿入された先端部分２ｇがプロテクタ本体１に当接し、蓋部材２とプロテクタ本体１との間の相対移動を抑制するように反力を発生させる反力発生片２ｂと、を有している。【選択図】図２
2008175144.tif 000002
【特許請求の範囲】
【請求項１】
プロテクタ本体と蓋部材とが、一端側で係合され、他端側で締結されるプロテクタ構造であって、
前記プロテクタ本体の係合部には、複数の開口部が略並列に形成されていると共に、
前記蓋部材の係合部は、前記開口部に係合する係合片と、前記開口部内へ挿入され、前記他端側の締結時に、前記挿入された先端部分が前記プロテクタ本体に当接し、前記蓋部材と前記プロテクタ本体との間の相対移動を抑制するように反力を発生させる反力発生片と、を有する、ことを特徴とするプロテクタ構造。
【請求項２】
プロテクタ本体と蓋部材とが、一端側で係合され、他端側で締結されるプロテクタ構造の製造方法であって、
前記プロテクタ本体の係合部には、複数の開口部が略並列に形成されると共に、前記蓋部材の係合部には、前記開口部に係合する係合片と、反力を発生させる反力発生片と、が形成される係合部形成工程と、
前記プロテクタ本体の開口部内へ前記反力発生片が挿入されつつ、前記プロテクタ本体の開口部に前記蓋部材の係合片が引っ掛けられるようにして係合される仮止工程と、
挿入された前記反力発生片の先端部分を前記プロテクタ本体に当接させて、前記蓋部材と前記プロテクタ本体との間の相対移動を抑制するような反力を、前記反力発生片に発生させつつ、前記プロテクタ本体と前記蓋部材とが他端側で締結される締結工程と、を含む、ことを特徴とするプロテクタ構造の製造方法。
【発明の詳細な説明】
【技術分野】
【０００１】
本発明は、例えば、プロテクタ本体と蓋部材とは一端側で係合され、他端側で締結されると共に、プロテクタ本体と蓋部材とで所定部材の外周を囲うように構成されるプロテクタ構造及びその製造方法に関するものである。
【背景技術】
【０００２】
従来、プロテクタ本体と蓋部材とがその両端で夫々締結部材により締結され、プロテクタ本体と蓋部材とで燃料系部材を囲うようにして保護するような燃料系部材の取付構造が知られている（例えば、特許文献１参照）。
【０００３】
また、蓋部材の一端に設けられた係合爪が本体側部材の孔に挿入され、組み付けられた後、係合爪による反力に抗して、蓋部材の他端と本体側部材とがネジ等の締結部材により締結される裏蓋取付構造が知られている。
【特許文献１】特開平６−２８０７１０号公報
【発明の開示】
【発明が解決しようとする課題】
【０００４】
しかしながら、上記従来の取付構造は、いずれも、作業者が手で蓋部材を押さえながら、位置合わせをしつつ、ネジ等の締結部材を締め込む必要が生じる。したがって、組付け性が良好であるとは言えない。また、裏蓋取付構造においては、例えば、係合爪が本体側部材の孔から多少ずれて、挿入された場合でも、上記締結が可能となり得る。したがって、係合爪と本体側部材の孔とがずれた状態で、組み付けられる虞があり、組付け精度が低下する虞がある。
【０００５】
本発明はこのような課題を解決するためのものであり、プロテクタ構造の組付け性及び組付け精度を向上させることを主たる目的とする。
【課題を解決するための手段】
【０００６】
上記目的を達成するための本発明の一態様は、プロテクタ本体と蓋部材とが、一端側で係合され、他端側で締結されるプロテクタ構造であって、プロテクタ本体の係合部には、複数の開口部が略並列に形成されていると共に、蓋部材の係合部は、開口部に係合する係合片と、開口部内へ挿入され、他端側の締結時に、挿入された先端部分がプロテクタ本体に当接し、蓋部材とプロテクタ本体との間の相対移動を抑制するように反力を発生させる反力発生片と、を有する、ことを特徴とするプロテクタ構造である。この一態様によれば、プロテクタ構造の組付け性及び組付け精度を向上させることができる。
【０００７】
また、上記目的を達成するための本発明の一態様は、プロテクタ本体と蓋部材とが、一端側で係合され、他端側で締結されるプロテクタ構造の製造方法であって、プロテクタ本体の係合部には、複数の開口部が略並列に形成されると共に、蓋部材の係合部には、開口部に係合する係合片と、反力を発生させる反力発生片と、が形成される係合部形成工程と、プロテクタ本体の開口部内へ反力発生片が挿入されつつ、プロテクタ本体の開口部に蓋部材の係合片が引っ掛けられるようにして係合される仮止工程と、挿入された反力発生片の先端部分をプロテクタ本体に当接させて、蓋部材とプロテクタ本体との間の相対移動を抑制するような反力を、反力発生片に発生させつつ、プロテクタ本体と蓋部材とが他端側で締結される締結工程と、を含む、ことを特徴とするプロテクタ構造の製造方法であってもよい。この一態様によれば、プロテクタ構造の組付け性及び組付け精度を向上させることができる。
【０００８】
なお、これら態様において、プロテクタ本体の係合部には、３つの開口部が略並列に設けられており、蓋部材の係合部には、各開口部に対応する位置に、その先端部分が屈曲しプロテクタ本体に当接する１つの反力発生片と、反力発生片の両側に略カギ形状に屈曲する係合片と、が略並列に設けられていてもよい。
【発明の効果】
【０００９】
本発明によれば、プロテクタ構造の組付け性及び組付け精度を向上させることができる。
【発明を実施するための最良の形態】
【００１０】
以下、本発明を実施するための最良の形態について、添付図面を参照しながら実施例を挙げて説明する。
【００１１】
図１（ａ）は、本発明の一実施例に係るプロテクタ構造の概略を示す斜視図であり、蓋部材とプロテクタ本体とが締結された状態を示す図である。
【００１２】
本実施例に係るプロテクタ構造１０は、例えば、車両のエンジンルーム内においてエンジンの燃料配管に介装されるフューエルフィルタ等の所定部材の外周を、囲うようにして当該所定部材を保護するものである。このプロテクタ構造により、例えば、物体がフューエルフィルタ等の所定部材に接触し、当該所定部材が損傷するのを防止することができる。
【００１３】
図１（ａ）に示すように、本実施例に係るプロテクタ構造１０は、プロテクタ本体（プロテクタベース）１と、このプロテクタ本体１に組み付けられる蓋部材（プロテクタカバー）２と、で構成されている。プロテクタ本体１は、車両下方側面が欠けており、略筒状に形成されている。蓋部材２は、プロテクタ本体１の上記欠けた部分に組み付けられる。
【００１４】
なお、プロテクタ本体１及び蓋部材２は、例えば、アルミニウム、ステンレス等の金属により形成されているが、ポリプロピレン（ＰＰ）等の樹脂により形成されていてもよく、任意の剛性部材により形成可能である。また、プロテクタ本体１と蓋部材２とは、一端側Ｐで係合され、他端側Ｑで締結されることで、一体構造をなしている。
【００１５】
プロテクタ本体１には、略矩形状をなす複数の開口部が形成されている。これら複数の開口部は、例えば、上記プロテクタ本体１と蓋部材２との係合、当該構造の軽量化、等を目的として形成されている。
【００１６】
また、プロテクタ本体１の一端側Ｐには、２つの仮止用開口部１ａと、これら開口部１ａの間に１つの固定用開口部１ｂと、が略並列に形成されている。さらに、プロテクタ本体１の他端側Ｑには、プロテクタ本体１及び蓋部材２を締結するためのプロテクタ締結部１ｃが設けられている。このプロテクタ締結部１ｃには、例えば、ボルト等の締結部材が挿通するための取付穴１ｄが形成されている。
【００１７】
一方、蓋部材２の一端側Ｐには、２つの係合片２ａと、これら係合片２ａの間に反力発生片２ｂと、が略並列に形成されている。各係合片２ａは、プロテクタ本体１の仮止用開口部１ａの対応する位置に、形成されており、その先端部分２ｃが略カギ形状に屈曲している（図２）。したがって、各係合片２ａのカギ状部分２ｃは、対応する仮止用開口部１ａの下端辺に引っ掛かるようにして（例えば、その自重でぶら下がるようにして）、係合することが可能となる。
【００１８】
反力発生片２ｂは、プロテクタ本体１の固定用開口部１ｂの対応する位置に設けられている。さらに、プロテクタ本体１と蓋部材２とが他端側Ｑにおいて適正な状態で締結されたとき、反力発生片２ｂの先端部分２ｇは、固定用開口部１ｂの上端辺近傍かつ内側面に当接するように、屈曲して形成されている。
【００１９】
上記当接により、反力発生片２ｂには、プロテクタ構造１０の内側方向（以下、内側方向と称す）への反力Ｆ１が作用する。また、この反力Ｆ１の作用により、例えば、プロテクタ本体１と蓋部材２の反力発生片２ｂとの間の摩擦力が増し、締結時におけるプロテクタ本体１と蓋部材２とのズレを、より効果的に抑制することができる。
【００２０】
一方、反力発生片２ｂの付け根部分２ｄは、プロテクタ本体１の固定用開口部１ｂの下端辺近傍かつ外側面に当接する。また、この当接により、反力発生片２ｂには、プロテクタ構造１０の外側方向（以下、外側方向と称す）への反力Ｆ２が作用する。そして、この反力Ｆ２の作用により、上記同様、プロテクタ本体１と蓋部材２の反力発生片２ｂとの間の摩擦力が増し、締結時におけるプロテクタ本体１と蓋部材２とのズレを、より効果的に抑制することができる。すなわち、上述の如く、反力発生片２ｂに対して相互作用する２つの反力Ｆ１、Ｆ２は、締結時におけるプロテクタ本体１と蓋部材２との間のガタ（相対的移動）を、より確実に抑制するように作用する。
【００２１】
さらに、蓋部材２の他端側Ｑには、プロテクタ本体１の他端側Ｑのプロテクタ締結部１ｃに対応する位置に、蓋締結部２ｅが設けられている。蓋締結部２ｅには、プロテクタ締結部１ｃと同様に、ボルト等の締結部材が挿通するための取付穴２ｆが形成されている。
【００２２】
プロテクタ本体１のプロテクタ締結部１ｃの取付穴１ｄ及び蓋部材２の蓋締結部２ｅの取付穴２ｆに対して、例えば、その一方側からボルトが挿入され、このボルトの先端に他方側からナットが螺合する。これにより、プロテクタ本体１の他端側Ｑと、蓋部材２の他端側Ｑとが締結される。
【００２３】
次に、本実施例に係るプロテクタ構造１０の製造方法について、詳細に説明する。
【００２４】
例えば、プロテクタ本体１の一端側Ｐに、２つの仮止用開口部１ａと、これら開口部１ａの間に１つの固定用開口部１ｂと、が略並列に形成される。また、蓋部材２の一端側Ｐに、２つの係合片２ａと、これら係合片２ａの間に反力発生片２ｂと、が略並列に形成される（係合部形成工程）。
【００２５】
その後、フューエルフィルタ等の所定部材の上方側に、プロテクタ本体１を暫定的に配置する。この状態から、プロテクタ本体１の仮止用開口部１ａ及び固定用開口部１ｂに対して、蓋部材２の係合片２ａ及び反力発生片２ｂを合わせるように接近させる（図２の（１））。
【００２６】
さらに、図１（ｂ）及び図２の（２）に示す如く、プロテクタ本体１の固定用開口部１ｂに蓋部材２の反力発生片２ｂの先端部分２ｇを挿入させつつ、仮止用開口部１ａに係合片２ａを引っ掛けるように係合させて、プロテクタ本体１に蓋部材２を仮止めする（仮止工程）。このように、蓋部材２をプロテクタ本体１に単に引っ掛けるだけで、蓋部材２をプロテクタ本体１に容易かつ確実に仮止めすることができる。この場合、例えば、作業者は蓋部材２を支えること無く上記仮止めが可能となり、作業上便宜である。また、組付け作業時において、蓋部材２、プロテクタ本体１等を落下させてしまうようなミスを簡易に予防することができ、組付け性に優れる。
【００２７】
さらに、この仮止め状態の蓋部材２を、この引っ掛かった部分（仮止め締結回転軸）を中心にして、他端側Ｑ（内側方向）へ回動させる。そして、最終的に、プロテクタ本体１のプロテクタ締結部１ｃと蓋部材２の蓋締結部２ｅとが自ずと接触した位置において、これら締結部１ｃ、２ｅがボルト及びナットにより締結される（締結工程）。
【００２８】
このとき、プロテクタ締結部１ｃの取付穴１ｄと、蓋締結部２ｅの取付穴２ｆとの位置合わせを、特別に行う必要がないため、組付け性が良好となる。また、蓋部材２の反力発生片２ｂの先端部分２ｇが、プロテクタ本体１の固定用開口部１ｂの上端辺近傍かつ内側面に当接しており、当該部分２ｇには内側方向への反力Ｆ１が作用する。同時に、反力発生片２ｂの付け根部分２ｄには、プロテクタ本体１の固定用開口部１ｂの下端辺近傍かつ外側面に当接しており、当該部分２ｄには外側方向への反力Ｆ２が作用する。
【００２９】
すなわち、本実施例に係るプロテクタ構造１０において、上記プロテクタ締結部１ｃと蓋締結部２ｅとに締結力が作用するだけで無く、上記反力発生片２ｂに対して２つの反力Ｆ１、Ｆ２が相互作用する。したがって、プロテクタ本体１と蓋部材２とが締結されたときにおけるガタ（相対的移動）を効果的に抑制することができ、組付け精度を向上させることができる。
【００３０】
さらに、上記反力発生片２ｂに対する２つの反力Ｆ１、Ｆ２により、上記ガタが抑制されることから、例えば、プロテクタ本体１及び蓋部材２に対して高い寸法精度が要求されず、コスト低減に繋がる。
【００３１】
ところで、本実施例に係るプロテクタ構造１０は、上述の如く、エンジンルーム内のフューエルフィルタ等の所定部材を保護するプロテクタに適用できる。この場合、例えば、所定部材に当該プロテクタ構造１０を取り付ける際の視認性が低い場合がある。したがって、従来技術において、所定部材に対して当該プロテクタ構造が適正位置に組み付けられているか否かの判断が困難となり、誤組付けとなる虞がある。
【００３２】
一方、本実施例に係るプロテクタ構造１０において、以下の如く、プロテクタ本体１に対して、蓋部材２が組付けられる際に、作業者の視認性が低い状態又は視認不能な状態である場合においても、後述の如く、強制的に誤組付けが阻止される。したがって、蓋部材２をプロテクタ本体１に対して、適正位置に自ずと組付けることが可能となり、組付け性及び組付け精度を向上させることができる。
【００３３】
例えば、図３（ａ）に示す如く、係合片２ａの一方又は両方が各仮止用開口部１ａに引っ掛かっていない（適正に仮止めされていない）状態の誤組付けが想定される。この場合、蓋部材２は、図３（ａ）に示す点線位置（１）から実線位置（２）になるまで、回動することができる。
【００３４】
なお、上記誤組付けにより、係合片２ａの先端部分２ｃがプロテクタ本体１の外面に当るため、蓋部材２の回動が一定の位置（図３（ａ）の実線位置（２））で強制的に止められる。したがって、プロテクタ締結部１ｃと蓋締結部２ｅとの締結が不能となる。このように、強制的に誤組付けが阻止されることで、上記適正位置に自ずと組付けることが可能となる。すなわち、当該プロテクタ構造１０の組付け性及び組付け精度が向上する。
【００３５】
また、図３（ｂ）に示す如く、蓋部材２の反力発生片２ｂが、プロテクタ本体１の固定用開口部１ｂ内へ過度に挿入される状態の誤組付けが想定される。この場合、上記同様に、蓋部材２は、図３（ｂ）に示す点線位置（１）から実線位置（２）になるまで、回動することができる。
【００３６】
なお、上記誤組付けにより、反力発生片２ｂの先端部分２ｇがプロテクタ本体１の内面に当るため、蓋部材２の回動が一定の位置（図３（ｂ）の実線位置（２））で強制的に止められる。したがって、プロテクタ締結部１ｃと蓋締結部２ｅとの締結が不能となる。このように、強制的に誤組付けが阻止されることで、上記適正位置に自ずと組付けることが可能となる。すなわち、当該プロテクタ構造１０の組付け性及び組付け精度が向上する。
【００３７】
さらに、図３（ｃ）に示す如く、蓋部材２の反力発生片２ｂが、プロテクタ本体１の固定用開口部１ｂに挿入されない状態の誤組付けが想定される。この場合、上記同様に、蓋部材２は、図３（ｃ）に示す点線位置（１）において、反力発生片２ｂの先端部分２ｇがプロテクタ本体１の外面に干渉する。したがって、プロテクタ締結部１ｃと蓋締結部２ｅとの締結が不能となる（図３に示す実線位置（２））。このように、強制的に誤組付けが阻止されることで、上記適正位置に自ずと組付けることが可能となる。すなわち、当該プロテクタ構造１０の組付け性及び組付け精度が向上する。
【００３８】
以上、本実施例に係るプロテクタ構造１０において、プロテクタ本体１と蓋部材２とは、一端側Ｐで係合され、他端側Ｑで締結されている。また、蓋部材２の２つ係合片２ａがプロテクタ本体１の仮止用開口部１ａに引っ掛かるように係合している。これにより、プロテクタ本体１に対して蓋部材２を容易かつ確実に仮止めすることができる。また、蓋部材２の１つの反力発生片２ｂがプロテクタ本体１の固定用開口部１ｂに挿入され、その先端部分２ｇがプロテクタ本体１の内面に当接している。この場合、プロテクタ本体１と蓋部材２の他端側Ｑが締結された締結時において、反力発生片２ｂには、２つの反力Ｆ１、Ｆ２が相互作用する。これにより、上記締結時におけるプロテクタ本体１と蓋部材２との間のガタ（相対的移動）を効果的に抑制することができる。すなわち、プロテクタ構造１０の組付け性及び組付け精度を向上させることができる。
【００３９】
以上、本発明を実施するための最良の形態について一実施例を用いて説明したが、本発明はこうした一実施例に何等限定されるものではなく、本発明の要旨を逸脱しない範囲内において、上述した一実施例に種々の変形及び置換を加えることができる。
【００４０】
例えば、上記一実施例において、蓋部材２の一端側Ｐには２つの係合片２ａが設けられているが、これに限らず、１つの係合片が設けられていてもよく、３つ以上の係合片が設けられていてもよい。この場合、プロテクタ本体には、各係合片に対応する位置に仮止用開口部が夫々形成される。
【００４１】
また、上記一実施例において、蓋部材２の一端側Ｐには１つの反力発生片２ｂが設けられているが、これに限らず、２つ以上の反力発生片が設けられていてもよい。この場合、プロテクタ本体には、各反力発生片に対応する位置に固定用開口部が夫々形成される。
【産業上の利用可能性】
【００４２】
本発明は、例えば、車両のフューエルフィルタ等の所定部材を保護するためのプロテクタ構造に利用できる。
【図面の簡単な説明】
【００４３】
【図１】（ａ）本発明の一実施例に係るプロテクタ構造の概略を示す斜視図であり、蓋部材とプロテクタ本体とが締結された状態を示す図である。（ｂ）本発明の一実施例に係るプロテクタ構造の概略を示す斜視図であり、プロテクタ本体に蓋部材が仮止めされた状態を示す図である。
【図２】本発明の一実施例に係るプロテクタ構造を示す部分断面図であり、プロテクタ本体に対して蓋部材が組み付けられる遷移状態を示す図である。
【図３】（ａ）本発明の一実施例に係るプロテクタ構造の誤組付け状態の一例を示す図である。（ｂ）本発明の一実施例に係るプロテクタ構造の誤組付け状態の一例を示す図である。（ｃ）本発明の一実施例に係るプロテクタ構造の誤組付け状態の一例を示す図である。
【符号の説明】
【００４４】
１          プロテクタ本体
１ａ        仮止用開口部（開口部）
１ｂ        固定用開口部（開口部）
２          蓋部材
２ａ        係合片
２ｂ        反力発生片
２ｃ、２ｇ  先端部分
１０          プロテクタ構造
【図１】
2008175144.tif 000003
【図２】
2008175144.tif 000004
【図３】
2008175144.tif 000005